(57)【要約】  【課題】貼り付けることにより、簡単に防虫用具とすることができる防虫用シールを提供する。  【解決手段】本発明の防虫用シール１は、防虫効果を備えた有効成分を含有する防虫薬剤を保持した薬剤保持シート１０と、団扇３０などの任意の部材に貼り付けが可能となるように設けられた粘着層１１とを有することを特徴とするものである。そして、団扇３０に薬剤保持シート１０が貼り付けられて形成された防虫用具３１を用いることにより、薬剤保持シート１０から防虫薬剤が拡散して防虫する。【選択図】図２
2008187990.tif 000002
【特許請求の範囲】
【請求項１】
防虫効果を備えた有効成分を含有する防虫薬剤を保持した薬剤保持シートと、任意の部材に貼り付けが可能となるように設けられた粘着層とを有することを特徴とする防虫用シール。
【請求項２】
防虫薬剤の有効成分は、Ｄｏｎｏｖａｎ法による２５℃における蒸気圧が１×１０-6〜５×１０-3ｍｍＨｇの範囲のピレスロイド系化合物であることを特徴とする請求項１に記載の防虫用シール。
【請求項３】
薬剤保持シートが、基板層と防虫薬剤が保持された塗布層とを有しており、該塗布層は防虫薬剤を混合させたワニスを該基板層に塗布して形成するものであることを特徴とする請求項１又は２に記載の防虫用シール。
【請求項４】
請求項１〜３のいずれかに記載の防虫用シールを対象物に貼り付けたことを特徴とする防虫用具。
【発明の詳細な説明】
【技術分野】
【０００１】
本発明は、防虫用具に用いる防虫用シールや防虫用具に関するものである。
【背景技術】
【０００２】
蚊等の虫を寄せ付けないために、防虫薬剤の有効成分を揮散させる防虫用具が従来から用いられている。しかし、防虫薬剤の有効成分を揮散させる器具の多くは、加熱により防虫薬剤の有効成分を揮散させるものであり、熱源を別途必要とする煩わしさがある。
これに対して、団扇形状をしていて人が手で保持して扇ぐことによって防虫薬剤の有効成分を揮散させる防虫用具が特許文献１に開示されている。
【０００３】
特許文献１に開示された防虫用具は、団扇の両面に外面形成層が設けられ、その中間部分に防虫薬剤含有層が挟み込まれている。
特許文献１の防虫用具では、主として団扇の周端部から防虫薬剤の有効成分が揮散される。
【特許文献１】実開平５−２１６７６号公報
【発明の開示】
【発明が解決しようとする課題】
【０００４】
特許文献１の防虫用具では、団扇の扇部分に、防虫薬剤を含有した樹脂フィルムなどを用いている。そのため、通常の団扇とは異なる工程によって製造する必要があり、製造工程が複雑になりやすい。
また、団扇などの特定の商品にしか防虫用具とすることができず、色々な商品に防虫機能を付与することができなかった。
【０００５】
そこで、本発明は、簡単にどんなものでも防虫用具とすることができる防虫用シールを提供することを課題とする。
【課題を解決するための手段】
【０００６】
上記した目的を達成するための請求項１に記載の発明は、防虫効果を備えた有効成分を含有する防虫薬剤を保持した薬剤保持シートと、任意の部材に貼り付けが可能となるように設けられた粘着層とを有することを特徴とする防虫用シールである。
【０００７】
請求項１に記載の発明によれば、防虫効果を備えた有効成分を含有する防虫薬剤を保持した薬剤保持シートと、任意の部材に貼り付けが可能となるように設けられた粘着層とを有するので、任意の部材に貼り付けて防虫が可能となる。
【０００８】
請求項２に記載の発明は、防虫薬剤の有効成分は、Ｄｏｎｏｖａｎ法による２５℃における蒸気圧が１×１０-6〜５×１０-3ｍｍＨｇの範囲のピレスロイド系化合物であることを特徴とする請求項１に記載の防虫用シールである。
【０００９】
請求項２に記載の発明によれば、防虫薬剤の有効成分は、Ｄｏｎｏｖａｎ法による２５℃における蒸気圧が１×１０-6〜５×１０-3ｍｍＨｇの範囲のピレスロイド系化合物であるので、常温での揮散によって防虫を行うことができる。
【００１０】
請求項３に記載の発明は、薬剤保持シートが、基板層と防虫薬剤が保持された塗布層とを有しており、該塗布層は防虫薬剤を混合させたワニスを該基板層に塗布して形成するものであることを特徴とする請求項１又は２に記載の防虫用シールである。
【００１１】
請求項３に記載の発明によれば、薬剤保持シートは、基板層と防虫薬剤が保持された塗布層とを有しており、該塗布層は該基板層に防虫薬剤を混合させたワニスを塗布して形成するものであるので、防虫薬剤の混合量やワニスの塗布量などを制御することにより、薬剤保持シートに用いられる防虫薬剤の使用量を調節することができる。
【００１２】
請求項１〜３のいずれかに記載の防虫用シールを対象物に貼り付けて防虫用具とすることができる（請求項４）。
【発明の効果】
【００１３】
本発明の防虫用シールによれば、簡単にどんな対象物でも防虫用具とすることができる。
【発明を実施するための最良の形態】
【００１４】
図１は、本発明の第１の実施形態における防虫用シールを示した一部側面図である。本発明の第１の実施形態における防虫用シール１は、図１に示されるように薬剤保持シート１０と粘着層１１とを有するものである。また粘着層１１には剥離シート２０が設けられている。
本実施形態では、薬剤保持シート１０は、紙が用いられた基板層１３と、該基板層１３に防虫薬剤を混合させたワニスを塗布して形成される塗膜層１２とからなるものであり、薬剤保持シート１０の塗膜層１２の表面から防虫薬剤が揮散される。
【００１５】
薬剤保持シート１０の基板層１３に用いられる紙は、特に限定されるものではないが、上質紙、和紙、モデラトーン紙、晒クラフト紙などを用いることができる。なお、薬剤保持シート１０には紙が用いられているが、他の材質のものを用いても良い。
基板層１３の紙には、所定の印刷を行うことができ、防虫用シール１に文字や模様などを表示させることができる。かかる場合、塗膜層１２によって、印刷面を保護することができる。
【００１６】
塗膜層１２は、基板層１３の一方の面に設けられる粘着層１１とは反対側の表面に形成されるものである。具体的には、該基板層１３の両面のうち、粘着層１１とは反対側の表面に防虫薬剤を混合させたワニスを用いてワニス引きして形成される。
ワニスが硬化して、基板層１３の表面に、防虫薬剤が保持された塗膜層１２が形成される。そして、塗膜層１２から防虫薬剤の有効成分が揮散させることができ、所定の作用を発揮することができる。使用されるワニスの種類については特に限定はなく、ＵＶワニス、水性ワニス、油性ワニス等のワニスを使用することができる。また、ワニス以外の表面加工剤であっても、防虫薬剤を保持できるものであれば使用可能である。
なお、本実施形態では、薬剤保持シート１０では塗膜層１２を用いて防虫薬剤を保持するものであったが、基板層１３に直接薬剤を保持するなど、他の方法を用いることもできる。
【００１７】
また、薬剤保持シート１０に保持される防虫薬剤は、防虫効果を備えた有効成分を含有するものが用いられる。
【００１８】
薬剤保持シート１０の防虫薬剤の有効成分として用いられるものとしては、以下のものがあり、具体的には、２，３，５，６−テトラフルオロベンジル  （１Ｒ）−トランス−３−（２，２−ジクロロビニル）−２，２−ジメチルシクロプロパンカルボキシラート（一般名：トランスフルスリン）、２，３，５，６−テトラフルオロ−４−メトキシメチルベンジル  （１Ｒ）−トランス−３−（１−プロペニル（Ｅ／Ｚ＝１／８））−２，２−ジメチルシクロプロパンカルボキシラート、２，３，５，６−テトラフルオロ−４−メトキシメチルベンジル  （１Ｒ）−トランス−３−（２−メチル−１−プロペニル）−２，２−ジメチルシクロプロパンカルボキシラート、２，３，５，６−テトラフルオロ−４−メトキシメチルベンジル  ２，２，３，３−テトラメチルシクロプロパンカルボキシラート、２，３，５，６−テトラフルオロ−４−メチルベンジル  （１Ｒ）−トランス−３−（１−プロペニル（Ｅ／Ｚ＝１／８））−２，２−ジメチルシクロプロパンカルボキシラート等の２，３，５，６−テトラフルオロ−４−ベンジル−２，２−ジメチルシクロプロパンカルボキシラート型ピレスロイド系化合物を挙げることができる。その他のピレスロイド系化合物の例としては、１−エチニルｚ−２−メチル−２−ペンテニル  ３−（２−クロロ−２−フルオロビニル）−２，２−ジメチルシクロプロパン−１−カルボキシラート、２，３，５，６−テトラフルオロ−４−メチルベンジル  ３−（２−メチル−１−プロペニル）−２，２−ジメチルシクロプロパンカルボキシラート、２，３，５，６−テトラフルオロ−４−メチルベンジル  ３−（２−クロロ−２−フルオロビニル）−２，２−ジメチルシクロプロパンカルボキシラート、２，３，５，６−テトラフルオロ−４−メチルベンジル  ３−（１−プロペニル）−２，２−ジメチルシクロプロパンカルボキシラート、１−エチニル−２−メチル−２−ペンテニル  （１Ｒ）−３−（２−メチル−１−プロペニル）−２，２−ジメチルシクロプロパンカルボキシラート（一般名：エンペントリン）、１−エチニル−２−メチル−２−ペンテニル  ３−（２−メチル−１−プロペニル）−２，２−ジメチルシクロプロパンカルボキシラート、１−エチニル−２−メチル−２−ペンテニル  ３−（２，２−ジクロロビニル）−２，２−ジメチルシクロプロパンカルボキシラート等のピレスロイド系化合物を挙げることができる。その他の防虫薬剤の有効成分の例としては、２，２−ジクロロビニル  ジメチル  ホスフェート、Ｎ，Ｎ−ジエチル−ｍ−トルアミド、カラン−３，４−ジオール等の化合物を挙げることができる。
【００１９】
本実施形態の防虫用具によって防除できる害虫の例としては、具体的には、各種の有害昆虫を挙げることができ、特に有害飛翔性害虫、例えば、アカイエカ、コガタアカイエカ等のイエカ類、ネッタイシマカ、ヒトスジシマカ等のヤブカ類、シナハマダラカ等のハマダラカ類、ユスリカ類、イエバエ、オオイエバエ、ヒメイエバエ等のイエバエ類、クロバエ類、ニクバエ類、ショウジョウバエ類、チョウバエ類、ノミバエ類、アブ類、ブユ類、サシバエ類、ヌカカ類等の双翅目害虫、スズメバチ類、アリガタバチ類、カブラハバチ等のハバチ類等の膜翅目害虫等が挙げられる。
【００２０】
これらの防虫薬剤の有効成分の多くは常温で液体であり、そのまま防虫薬剤としても使用可能である。また、本発明に使用する防虫薬剤の有効成分は、Ｄｏｎｏｖａｎ法による２５℃における蒸気圧が１．３３×１０-4〜６．６７×１０-1Ｐａ（１×１０-6〜５×１０-3ｍｍＨｇ）の範囲であることが望ましい。ここで、Ｄｏｎｏｖａｎ法とは、New method for estimating vapor pressure by the use of gas chromatography : Journal of Chromatography A. 749 (1996) 123-129 にてStephen F.Donovan 氏によって報告された方法である。
【００２１】
防虫用シール１の１枚あたりの防虫薬剤の量は、防虫用シール１の大きさにも左右されるが、有効成分量で１〜１０００ｍｇの範囲であり、より好ましくは２〜２００ｍｇの範囲である。そして、本実施形態では、この範囲となるように、ワニスに所定の割合の防虫薬剤を混合し、この混合した液を基板層１３に塗布して塗膜層１２を形成する。
【００２２】
なお、防虫用シール１の薬剤保持シート１０には、防虫薬剤と共に、常温で揮散性を有する有効成分を含有する芳香剤を保持させてもよい。
当該芳香剤の有効成分の例としては、ミルセン、カレン、リモネン、ピネン、テルピネン、カンフェン、ピサポレン、ワルクメン、カンタレン、カンホレン、ミレン等のテルペン系炭化水素；シトロネロール、ゲラニオール、ネロール、リナロール、メントール、ボルネオール、ファネセノール、ネロリドール、カジノール、フィトール、マノール、ヒノキオール等のテルペンアルコール；シトロネラール、シトラール、カフラナール、ヨノン、メントン、イロン、シペロン、ゼルンボン、スギオール等のテルペンアルデヒド又はケトン；フェニルエチルアルコール、フェニルアセトアルデヒド、ヘリオトロピン、アニスアルデヒド、シンナムアルデヒド、ムスクキシレン、ムスクケトン等の芳香族系化合物；酢酸ブチル、酢酸エチル、サリチル酸メチル、カプロン酸エチル、カプロン酸、酪酸エチル、酪酸シクロヘキシル、プロピオン酸エチル、プロピオン酸ベンジル等のカルボン酸又はそのエステル等を挙げることができる。
【００２３】
芳香剤の含有量は任意であるが、芳香剤が有効に揮散し得る期間を防虫薬剤の有効成分が有効に揮散し得る期間に合わせると、芳香剤の芳香の強さを指標として防虫薬剤の有効成分の残量を確認することができる。
もちろん芳香剤の有効期間をより長いものとして、防虫効果が消失した後は、芳香を発生させる用具として使用するのもよい。
【００２４】
薬剤保持シート１０の形状や大きさは、特に限定されるものではないが、本実施形態における薬剤保持シート１０は長方形状である。また、この大きさは、貼り付ける対象物や防虫効果に応じた大きさとすることができる。
例えば団扇（対象物）に貼り付けて使用する場合には、横巾が５ｃｍ〜１２ｃｍ、長さが８ｃｍ〜１８ｃｍ程度の大きさの長方形や、直径が８ｃｍ〜１０ｃｍ程度の円形が適当である。またＡ４サイズ等の規格された大きさの薬剤保持シート１０を製造し、使用時に貼り付ける対象に応じて適当な大きさに切ってもよい。
薬剤保持シート１０には、上記したように印刷などで模様が付されていてもよい。
【００２５】
粘着層１１は、アクリル樹脂系の接着剤など、公知の粘着剤が用いられており、薬剤保持シート１０を団扇などの他の任意の部材に貼り付けて固定することができる。
【００２６】
次に、防虫用シール１の使用方法について説明する。
防虫用シール１は、任意の他部材に貼り付けて固定して使用されるが、以下の説明は、団扇（対象物）３０に固定して使用する場合について説明する。
図２は、図１に示す防虫用シール１の使用状態の一例を示した正面図であり、防虫用シール１を団扇に貼り付けた状態を示す。
【００２７】
防虫用シール１は、図１に示されるように、製造後、粘着層１１側に剥離シート２０が配置されており、粘着層１１の粘着力が低下しないように保護している。また、保管や輸送の際に、薬剤保持シート１０の防虫薬剤が無駄に拡散しないように、袋などに入れられて密閉されている。なお、この袋には、複数の防虫用シール１をまとめて入れて密閉しても良い。
【００２８】
そして、使用の際には、袋から取り出し、さらに剥離シート２０を剥がして、粘着層１１側を露出させ、粘着層１１を団扇３０に接触させるようにして、図２に示すように、団扇３０に貼り付ける。その結果、団扇３０を防虫用具３１として使用することができる。
この剥離シート２０は、ポリエチレン、ポリプロピレン、ポリアミド（ナイロン）、ポリエチレンテレフタレートなどの樹脂シートを用いることができる。
【００２９】
団扇３０に防虫用シール１を貼り付けたものである防虫用具３１は、塗膜層１２が表側になり、防虫用シール１の表側の薬剤保持シート１０から防虫薬剤が拡散して防虫が行われる。また、団扇３０を扇ぐことにより、より防虫薬剤が拡散するので、より防虫効果を高めることができる。
防虫用シール１の団扇３０への貼り付けは、片面だけでもよいが、両面に貼り付けることもできる。かかる場合には、両面から防虫薬剤が拡散して効率的に防虫を行うことができる。
【００３０】
図２で示した防虫用シール１は、長方形であったが、図３に図示する防虫用シール１’の様にデザイン化されたものであってもよい。即ち図３は、防虫用シールの使用状態の他の一例を示した正面図であり、防虫用シールを団扇に貼り付けた状態を示す。図３に示す団扇３２では、ハート型の防虫用シール１’が使用されている。
【００３１】
防虫用シール１は、団扇３０以外にも貼り付けて使用することができる。
例えば、被服、帽子、手袋、靴下、ベルト、靴、カバンなどの身につけたり、身近にある対象物に防虫用シール１を貼り付けて防虫用具として使用することができる。
即ち図４〜７は、本発明の防虫用シールの使用状態の他の一例を示した正面図又は斜視図である。図４に示す例では、防虫用シール１を被服３３の胸ポケット部位に貼り付けている。もちろん被服３３の腹部分や背中部分に防虫用シール１を貼り付けてもよい。
【００３２】
図５に示す例では、防虫用シール１を帽子３５の前面部分に貼り付けている。帽子３５の鍔部分３６や背面部分に防虫用シール１を貼り付けてもよい。
【００３３】
図６に示す例では、防虫用シール１を靴３７の上面部分に貼り付けている。
【００３４】
図７に示す例では、防虫用シール１を鞄３８の側面部分に貼り付けている。
【００３５】
また主として屋外で使用するものに防虫用シール１を貼り付けて使用することも推奨される。例えば農機具、釣り竿、クーラーボックス、テント、寝袋、メガホンその他のレジャー用道具など、野外などで用いる各種道具に防虫用シール１を貼り付けて防虫用具として使用することができる。
【００３６】
図８〜１２は、本発明の防虫用シールの使用状態の他の一例を示した正面図又は斜視図である。図８に示す例では、防虫用シール１を釣り竿４０の周囲に貼り付けている。図９に示す例では、防虫用シール１をクーラボックス４１の本体部分の側面に貼り付けている。もちろん、クーラボックス４１の蓋部分に防虫用シール１を貼り付けてもよい。
【００３７】
図１０に示す例では、防虫用シール１をテント４５の内側に貼り付けている。もちろん、テント４５の外側部分に防虫用シール１を貼り付けてもよい。
【００３８】
図１１に示す例では、防虫用シール１を寝袋４６の外側に貼り付けている。もちろん、寝袋４６のの内側部分に防虫用シール１を貼り付けてもよい。
【００３９】
図１２に示す例では、防虫用シール１をメガホン４７の外側に貼り付けている。
【００４０】
また屋内の壁に防虫用シール１を貼り付けてもよい。
図１３は、本発明の防虫用シールの使用状態の他の一例を示した斜視図であり、屋内の壁５０に防虫用シール１を貼り付けた状態を示す。
【００４１】
さらに、防虫用シール１を風を発生させるものである扇風機や、熱を発生する電気スタンドや携帯カイロなどの熱を発生するものに貼り付けて防虫用具として使用することができ、かかるものの場合、防虫薬剤の拡散をより促進させることができる。
【００４２】
図１４は、本発明の防虫用シールの使用状態の他の一例を示した正面図であり、扇風機５１に防虫用シール１を貼り付けた状態を示す。
図１４では、扇風機（対象物）５１の正面側に防虫用シール１を貼り付けたが、裏面側に防虫用シール１を貼り付けてもよい。
【００４３】
図１５は、本発明の防虫用シールの使用状態の他の一例を示した斜視図であり、電気スタンド５２の傘（対象物）５３にを貼り付けた状態を示す。
図１５に示した例では、防虫用シール１の全面を電気スタンド５２に貼り付けたが、図１６に示すように、一部だけを貼り付けてもよい。
即ち図１６は、本発明の防虫用シールの使用状態の他の一例を示した斜視図であり、電気スタンド５５の傘５６にを貼り付けた状態を示す。
【図面の簡単な説明】
【００４４】
【図１】本発明の第１の実施形態における防虫用シールを示した一部側面図である。
【図２】図１に示す防虫用シールの使用状態の一例を示した正面図であり、防虫用シールを団扇に貼り付けた状態を示す。
【図３】本発明の防虫用シールの使用状態の他の一例を示した正面図であり、防虫用シールを団扇に貼り付けた状態を示す。
【図４】本発明の防虫用シールの使用状態の他の一例を示した正面図であり、防虫用シールを被服に貼り付けた状態を示す。
【図５】本発明の防虫用シールの使用状態の他の一例を示した斜視図であり、防虫用シールを帽子に貼り付けた状態を示す。
【図６】本発明の防虫用シールの使用状態の他の一例を示した斜視図であり、防虫用シールを靴に貼り付けた状態を示す。
【図７】本発明の防虫用シールの使用状態の他の一例を示した斜視図であり、防虫用シールを鞄に貼り付けた状態を示す。
【図８】本発明の防虫用シールの使用状態の他の一例を示した斜視図であり、防虫用シールを釣り竿に貼り付けた状態を示す。
【図９】本発明の防虫用シールの使用状態の他の一例を示した斜視図であり、防虫用シールをクーラボックスに貼り付けた状態を示す。
【図１０】本発明の防虫用シールの使用状態の他の一例を示した斜視図であり、防虫用シールをテントの内側に貼り付けた状態を示す。
【図１１】本発明の防虫用シールの使用状態の他の一例を示した斜視図であり、防虫用シールを寝袋に貼り付けた状態を示す。
【図１２】本発明の防虫用シールの使用状態の他の一例を示した斜視図であり、防虫用シールをメガホンに貼り付けた状態を示す。
【図１３】本発明の防虫用シールの使用状態の他の一例を示した斜視図であり、屋内の壁に防虫用シールを貼り付けた状態を示す。
【図１４】本発明の防虫用シールの使用状態の他の一例を示した正面図であり、扇風機に防虫用シールを貼り付けた状態を示す。
【図１５】本発明の防虫用シールの使用状態の他の一例を示した斜視図であり、電気スタンドの傘に防虫用シールを貼り付けた状態を示す。
【図１６】本発明の防虫用シールの使用状態の他の一例を示した斜視図であり、電気スタンドの傘に防虫用シールの一部だけを貼り付けた状態を示す。
【符号の説明】
【００４５】
１，１’防虫用シール
１０  薬剤保持シート
１１  粘着層
１２  塗膜層
１３  基板層
２０  剥離シート
３０，３２  団扇（対象物）
３１  防虫用具
３３  被服（対象物）
３５  帽子（対象物）
３７  靴（対象物）
３８  鞄（対象物）
４０  釣り竿（対象物）
４１  クーラボックス（対象物）
４５  テント（対象物）
４６  寝袋（対象物）
４７  メガホン（対象物）
５０  壁（対象物）
５１  扇風機（対象物）
５２，５５  電気スタンド（対象物）
【図１】
2008187990.tif 000003
【図２】
2008187990.tif 000004
【図３】
2008187990.tif 000005
【図４】
2008187990.tif 000006
【図５】
2008187990.tif 000007
【図６】
2008187990.tif 000008
【図７】
2008187990.tif 000009
【図８】
2008187990.tif 000010
【図９】
2008187990.tif 000011
【図１０】
2008187990.tif 000012
【図１１】
2008187990.tif 000013
【図１２】
2008187990.tif 000014
【図１３】
2008187990.tif 000015
【図１４】
2008187990.tif 000016
【図１５】
2008187990.tif 000017
【図１６】
2008187990.tif 000018